Podtech/llm-jp-corpus-v4-ja_patent huggingface dataset:
(57)【要約】      （修正有）【課題】簡単、コンパクト、安価で有って、演奏中に口元付近の目視が容易な管楽器の飛沫低減板の保持具を提供する。【解決手段】管楽器に取り付ける飛沫防止板の保持具であって、飛沫防止板として使用する透明プラスッチック板の辺上に余裕を持って管楽器がスライドできる幅に外側まで開口除去し、開口除去部とこれに隣接するプラスッチック板の辺縁にまでかかる大きさの緩衝シートで表裏を挟んで接着し、２枚重なった緩衝部に管楽器の直径が保持できる大きさの周囲に複数の切り込みを持った貫通口を空け、貫通口に保持した管楽器がそのまま外側迄スライドできる切断線を以て管楽器の任意の位置にスライドして飛沫防止板を保持する。【選択図】図３
0003231928.tif 000002
【実用新案登録請求の範囲】
【請求項１】
管楽器に取り付ける飛沫防止板の保持具であって、飛沫防止板として使用する透明プラスッチック板の辺上に余裕を持って管楽器がスライドできる幅に外側まで開口除去し、開口除去部とこれに隣接するプラスッチック板の辺縁にまでかかる大きさの緩衝シートで表裏を挟んで接着し、２枚重なった緩衝部に管楽器の直径が保持できる大きさの周囲に複数の切り込みを持った貫通口を空け、貫通口に保持した管楽器がそのまま外側迄スライドできる切断線を以て管楽器の任意の位置にスライドして飛沫防止版を保持できることを特徴とする保持具。
【考案の詳細な説明】
【技術分野】
【０００１】管楽器を使用する際、口の前にプラスッチック板を立てて放出される飛沫の放出を防止する飛沫防止板の保持具に関する。
【背景技術】
【０００２】飛沫防止として用いる不織布やプラスチック板を管楽器の吹き込み口前に保持する場合、別途保持パーツを用意して管楽器にプラスチック板を立てると云う二つの部品から構成されている。
【考案の概要】
【考案が解決しようとする課題】
【０００５】現在市販品で飛沫防止板の商品価格帯は凡そ４千円前後である。
これから音楽を始めようとする人、特に学生の吹奏部員にとってこの価格帯は負担に成る。
本案は広く一般愛好家の底辺にまで及ぶ低価格な簡素品を提供する。
【課題を解決するための手段】
【０００６】従来の飛沫防止板は管楽器への保持装置を要し、主にプラスチックの成型部品に依って保持されているので最低２個の部品から構成されている。
本案は飛沫防止板そのものに保持機能を加へ、従来の成型した保持部品を以下の様に組み込んで一体化して省略した。
まず飛沫防止板に管楽器保持用の貫通部を作るため、プラスッチック製飛沫防止板の一辺上に管楽器が余裕をもってスライドできる幅で開口削除し、開口部とその隣接辺縁にかかる程の大きさで緩衝材を表裏から挟んで接着固定する。
２枚の緩衝材上に管楽器が保持できる複数の切り込みを持った保持口と外側からこれにスライドして移動できる切断線とを備えて管楽器の任意の位置に飛沫防止板が取り付けられる保持具とした。
【考案の効果】
【０００７】本案は飛沫防止板に保持機能を持たせることが殆どの管楽器に適用される。
例えばフルートは呼気が楽器管内と前方に分化するが、特に前方への飛沫が多い。
指導者は口の使い方、表情筋、角度を前方からチェックしなければならない、この為対面側が飛沫を最も受けることに成る。
飛沫防止板に左右２か所の保持機能を持たせフルート実演中に口元の周囲をカーブして覆い、指導に必要な口元の微妙な動きをチェック出来て指導の効率が上がる。
【図面の簡単な説明】
【０００８】
【図１】飛沫防止板の保持具正面図である。
【図２】飛沫防止板を表裏で挟んだ緩衝材の表側を開いた図である。
【図３】フルートに装着した飛沫防止板の参考斜視図である。
【図４】飛沫防止版の外部から保持口に楽器をスライドする図である
【考案を実施するための形態】
【・・・・】
【実施例】
【０００９】例えば［０００７］のフルートを例にすると、長方形にカットした透明プラスッチックの飛沫防止板は参考として縦１５センチ、横３２センチに設定して、縦１５センチの左右辺中央に本考案保持具を備え、保持具の切れ目を左右に開いてフルートをスライドさせて貫通口に達したら直角に修正して緩衝材で保持する。
フルートの吹き出し口を挟んで飛沫防止板左右の保持具にセットされると吹き出し口及び奏者の口を挟んで防止板はカーブする。
【産業上の利用可能性】
【００１０】プロの奏者にとってコンサートが閉鎖されることは打撃だが、指導教室の教授分野は現実的に収入源として継続しなければならない。
本考案は簡易方式では有るが指導に最も重要な口元の動きを指導することが可能である。
【符号の説明】）【００１１】１、  透明プラスッチックの飛沫感染防止板
２、  開口除去部
３、  緩衝材
４、  フルート
５、  貫通口
６、  貫通口と外側を連結する切断線
７、  複数の切り込み
８、  外側
【図１】
0003231928.tif 000003
【図２】
0003231928.tif 000004
【図３】
0003231928.tif 000005
【図４】
0003231928.tif 000006
(57)【要約】      （修正有）【課題】防水効果の高い電動ナイフを提供する。【解決手段】電動ナイフ１は、刃を固定支持する刃部固定部５が固着された蛇腹状の防水部４が本体３の端部に固着されたことにより、駆動部への防水性を維持しつつ、刃部の往復運動をスムースに行える。【選択図】図１
0003231952.tif 000002
【実用新案登録請求の範囲】
【請求項１】
刃部と本体とが連結部により連結されており、前記連結部は蛇腹状の防水部により覆われ、防水部の一端部は、本体に固着され、防水部の他端部には刃部固定部が固着され、前記刃部固定部には前記刃部が固定されていて、前記本体の内部には、前記刃部固定部の反刃部側に固定された永久磁石と、該永久磁石と所定の間隔を有して配設された巻線コイルと、該巻線コイルに電流を流すための直流電源と、この電流方向を切り替える電流切替器とを備えたことを特徴とする電動ナイフ。
【考案の詳細な説明】
【技術分野】
【０００１】
本考案は、料理等で食材を切るための電動ナイフに関する。
【背景技術】
【０００２】
従来より刃部を前後方向（刃軸方向）に往復運動させて使用する電動ナイフが知られており、動作のためにモーターとギア装置を有したものや、電磁石を利用したものなどが考えられている。
【先行技術文献】
【特許文献】
【０００３】
【特許文献１】特開昭６０−６６７８０
【考案の概要】
【考案が解決しようとする課題】
【０００４】
しかしながら、従来の電動ナイフにおいては、その構造上、防水性が問題になることが多く、内部の駆動部が浸水により動作不能になることがあった。
【課題を解決するための手段】
【０００５】
上記課題を解決するために、本考案の電動ナイフは、刃を支持する支持部と一体となった蛇腹状の防水部が本体端部に固着されたことを特徴とする。
【考案の効果】
【０００６】
本考案の電動ナイフによれば、蛇腹状の防水部により、駆動部への防水性を維持しつつ、刃部の往復運動をスムースに行える。
【図面の簡単な説明】
【０００７】
【図１】本考案の電動ナイフの外観図である。
【図２】本考案の電動ナイフの側面断面図である。
【図３】図２のＡ−Ａ断面拡大図である。
【実施例】
【０００８】
図１は本考案の電動ナイフの外観図である。図１において、電動ナイフ１は、片側の辺に鋸歯２ａを備えた刃部２と本体３とが連結されており、その連結部は蛇腹状の防水部４により覆われている。防水部４の一端部は、本体３に固着されており、防水部４の他端部には鞘状の刃部固定部５が固着されている。刃部固定部５には刃部２が挿入され、ピン６により固定されている。
【０００９】
図２は本考案の電動ナイフの側面断面図、図３は図２のＡ−Ａ断面拡大図である。これらの図において、本考案の電動ナイフの内部構造について説明する。本体３の内部には、防水部４の他端部に刃部固定部５が固着され、前記刃部固定部５には前記刃部２がピン６により固定されていて、前記本体３の内部には、前記刃部固定部５の反刃部側に固定された永久磁石７と、該永久磁石７と所定の間隙８を有して配設された巻線コイル９と、該巻線コイル９に電流を流すための直流電源１０と、この電流方向を切り替える電流切替器１１とを備えている。また、１２はワックス等の滑剤１３を充填するための複数の滑剤充填孔であり、滑剤１３により刃部固定部５の本体３内での往復動をスムースにしている。本実施例では、８個の充填孔を有している。また１４は本体３の重量の軽量化を図るための空隙部である。
【００１０】
図示せぬ電源スイッチの操作で直流電源１０から給電されることより、巻線コイル９に電流が流れ、巻線コイル９近傍に磁界が発生する。この発生磁界が永久磁石７からの磁界の影響を受け、かつ、前記電流切替器１１により巻線コイル９への電流の向きを周期的に変更することで、巻線コイル９と永久磁石７との間隙８の範囲内で刃部固定部５が往復動するように設計すれば、刃部２も往復運動を行うので、刃部２に形成された鋸歯２ａにより食材等を切ることができる。
【符号の説明】
【００１１】
１・・・電動ナイフ、２・・・刃部、２ａ・・・鋸歯、３・・・本体、４・・・防水部、５・・・刃部固定部、６・・・ピン、７・・・永久磁石、
８・・・間隙、９・・・巻線コイル、１０・・・直流電源、１１・・・電流切替器、１２・・・滑剤充填孔、１３・・・滑剤、１４・・・空隙部
【図１】
0003231952.tif 000003
【図２】
0003231952.tif 000004
【図３】
0003231952.tif 000005
(57)【要約】【課題】お客様が展覧会場に飾ってある絵画作品を見て楽しむだけでは、職業画家の収入には結びつかない。画期的な仕掛けを考案し、絵画作品を個人で所有したくなる需要を喚起しようと考えた。【解決手段】  第一層に通常照明の光を蓄え照明を落とした状態で発光する蓄光顔料で隠し絵を描き、第二層として本来無色透明ながら不揃いな表面が乱反射して白色不透明な水晶末にて覆い、第三層に透明感のある絵具にて表面を飾る題材を描く蓄光顔料を使った隠し絵画を考案した。【選択図】図１
0003231950.tif 000002
【実用新案登録請求の範囲】
【請求項１】
蓄光顔料で描画した第一層と、第一層上に塗り重ねられた水晶末の第二層と、第二層上に有機顔料または染料で描かれた第三層からなり、第一層と第三層とが違う形の絵である蓄光顔料を使った隠し絵画
【考案の詳細な説明】
【技術分野】
【０００１】  本考案は照明を消した時だけ浮かび上がる絵を下層に隠し描き、通常の照明下では別の絵でカムフラージュする蓄光顔料を使った隠し絵画である。
【背景技術】
【０００２】  個人的な趣味嗜好に合わせた絵画は、得てして公然とは飾り難い画題である事が多い。
【考案の概要】
【考案が解決しようとする課題】
【０００３】  お客様が展覧会場に飾ってある絵画作品を見て楽しむだけでは、職業画家の収入には結びつかない。画期的な仕掛けを考案し、絵画作品を個人で所有したくなる需要を喚起しようと考えた。
【課題を解決するための手段】
【０００４】  第一層に通常照明の光を蓄え照明を落とした状態で発光する蓄光顔料で隠し絵を描き、第二層として本来無色透明ながら不揃いな表面が乱反射して白色不透明な水晶末にて覆い、第三層に透明感のある絵具にて表面を飾る題材を描く蓄光顔料を使った隠し絵画を考案した。
【考案の効果】
【０００５】  この様な蓄光顔料を使った隠し絵画によって、照明の入切によりそれぞれ違った絵が見られる。例えば通常の照明下では堂々と人前でも飾れる絵としてカムフラージュ出来、逆に照明を落とせば趣味嗜好を共有出来る親しい者同士が一緒にこの仕掛けを楽しむ事が出来る。この仕掛け自体を面白いと感じ、購入したくなるお客様も見込める。
【図面の簡単な説明】
【０００６】
【図１】通常照明下で見た状態から照明を消すと隠し絵が浮かび上がる状態を示す図。
【図２】蓄光顔料で描いた第一層の描画段階を示す図。
【図３】水晶末を塗り被せた第二層の描画段階を示す図。
【図４】第一層段階の断面図。
【図５】第二層段階の断面図。
【図６】第三層（完成）段階の断面図。
【考案を実施するための形態】
【０００７】  第１層、第２層は日本画の技法を用いる。日本画の特徴は既製品の絵具を使わずに、自分の手により顔料とメディウム（接着剤）となる膠を練り、絵具を自作する事が基本である。原材料から絵具を自在に調合出来る日本画の知識及び技術的経験と、メディウムとして使用する膠の特徴が、第一層、第二層の隠し絵制作に適している。なおメディウムとしては、膠の他にアクリルメディウム、アートグルー、アートレジンなどでも代替可能である。第三層は透明水彩絵具または染料系絵具を薄塗りして、第一層の蓄光顔料への紫外線の吸収や、発光する光の障害とならないよう、淡く描く必要がある。
【実施例】
【０００８】  以下、添付図面に従って実施例を説明する。図４の符号５は木製パネルに和紙を張った支持体を表す。支持体としては和紙以外の紙やキャンバスや板の使用も可能である。既製品の蓄光塗料は輝度が均一で平面的な表現しか出来ない。蓄光顔料を自分で膠を加えて練る事で蓄光顔料の輝度（濃淡）を自在に調節出来、写実的で立体的な絵画表現が可能である。図２及び図４の第一層の符号１が高輝度な蓄光顔料で塗った部分で、主題を一番明るく光らせ、蓄光顔料の塗り厚に変化をつける事で立体的なボリュームを伴った写実的な描写も可能となる。符号２は中輝度の蓄光顔料を塗った部分。符号３は低輝度な蓄光顔料で塗った部分。符号４は照明を落とした時には光を発光しない通常顔料で塗った部分である。この様にして発光した時の色彩や輝度が異なる数種類の顔料を段階的に使い分ける事で複雑な絵柄を表現する事が可能となる。【０００９】  図３及び図５は第二層として水晶末を塗り被せた段階で、符号６が水晶末の層を示す。水晶は無色透明だが、顔料として微粒子に砕かれた事で表面が乱反射して乾燥した状態では白く不透明に見える。膠は制作工程では水で溶いて塗るが、水分が蒸発すると表面に凹凸のある状態で膠着する。この性質のおかげで表面が乱反射し通常の照明下においては白く不透明に覆われ第一層の絵を見え難くする。【００１０】  図６の符号７は様々な色の透明水彩または染料で描かれた第三層で、実践では様々な色彩を使うが全てまとめて７の符号で示した。第三層は、透明水彩絵具または染料絵具を薄く使用して淡彩表現で描写する。透明水彩の顔料には有機顔料系、無機顔料系、有機無機混合系の絵具があるが、有機系顔料ほど透明度が高いので極力有機顔料系の絵具を選択使用する必要がある。日本画の膠で描き進めた第二層までと、透明水彩絵具、染料には親和性があり、第一層〜第三層までの各層は強固に一体化する。【００１１】  この様に三層が一体化されると図１に示す様な絵画となる。この絵画は例えば通常照明下では左の様に花の絵しか見えないが、照明を落とすと蓄光顔料で描いた女性の水着姿が光って浮かび上がるという様に、一例で示した以外にも二つの異なる絵柄を一枚の絵に重ね描き、照明の入切を切り替える事で二通りの絵が見られる仕掛けを持った絵画となる。
【符号の説明】
【００１２】１高輝度な蓄光顔料で塗った部分
２中輝度な蓄光顔料で塗った部分
３低輝度な蓄光顔料で塗った部分
４通常顔料で塗った部分
５支持体となるパネルに和紙を貼ったもの。
６水晶末の層
７様々な色の透明水彩または染料
【図１】
0003231950.tif 000003
【図２】
0003231950.tif 000004
【図３】
0003231950.tif 000005
【図４】
0003231950.tif 000006
【図５】
0003231950.tif 000007
【図６】
0003231950.tif 000008
(57)【要約】      （修正有）【課題】固い所やぬれた所などでもいつでもどこでも座れ、低コストの携帯式のクッションを提供する。【解決手段】腰に装着可能なベルト１にクッションを取り付け、携帯式にする事でいつでもどこでも座れ、コストも低く出来る。クッションは、ビニールクッション２と柔いゴムで形成され、水をはじき、固い所やぬれた所でも座る事ができる。【選択図】図１
0003231462.tif 000002
【実用新案登録請求の範囲】
【請求項１】
腰に装着可能なベルトとベルトに接続しているクッションを備える携帯式のクッション．
【請求項２】
前記クッションの両横下部が丸みを帯びた突起状になっている請求項１に記載の携帯式クッション。
【考案の詳細な説明】
【技術分野】
【０００１】  本考案は、腰に巻く携帯式のクッションに関するものである。
【背景技術】
【０００２】  既存の携帯式のクッションは、上着に装着するものであるが、上着が必要でクッションだけを携帯するものではない。
【先行技術文献】
【０００３】
【特許文献１】実用新案登録第３２１９４３４号公報
【考案の概要】
【考案が解決しようとする課題】
【０００４】  携帯式のクッションは上着と一体になっているので、上着を買わないといけないのでコストがかかる。本考案は単独で腰に巻くクッションなので持ち運びにも便利であり、前述の欠点を解決しようとするものである。
【課題を解決するための手段】
【０００５】  本考案は、腰にベルトを巻いて使用する携帯式のクッションであり、上着も必要なく、携帯し易く、コストも低いという事で、問題点を解決している。
【考案の効果】
【０００６】  前記のように本考案の腰に巻く携帯式クッションは、腰に巻いて着脱するので、クッションだけ簡単に持ち運べ、いつでもどこでも座る事が出来、柔いゴムとビニールクッションで構成されるので、岩の上でもぬれた所でも座れる。
【図面の簡単な説明】
【０００７】
【図１】携帯式クッションを正面から見た図である。
【図２】図１のＡ−Ａ′の断面図である。
【図３】携帯式クッションを立位で装着した図である。
【図４】携帯式クッションを装着してイスに座っている図である。
【図５】携帯式クッションを装着して地面に座っている図である。
【考案を実施するための形態】
【０００８】  クッションとベルトが一体化しており、ベルトを装着する事で、常にクッションを身に付けておれるので、いちいちシートを用意する必要もなく両手が塞っていてもいつでもどこでも座れる。カバンから出し入れする必要もない。
【実施例】
【０００９】  本考案の実施例について図面を参照しながら説明する。ベルト１はサイズ調整がなされるもので、着脱可能なものである。サイズは５０ｃｍ〜１００ｃｍとし、子供用と大人用に分ける。
ベルト１はウエストに装着し、両手の空いた状態で常にクッション４を有する事が可能となる。常に身に付けられている状態なので、クッション４が風で飛ぶ事がない。【００１０】  クッション４は内側がビニールクッション２、外側が柔いゴム３で構成されており、水をはじき丈夫なので、ぬれた場所や岩の上などの固い場所で快適に座れる。キャンプやサッカー、野球観戦、学校の課外授業、地べたに座る時に便利である。【００１１】ビニールクッション２の両横下部は丸みを帯びた突起状になっておりイスに座る時は突起５を内側に曲げて座る事で太腿が快適で地面に座る時は突起５を広げる事により、あぐらをかいて座るのに便利である。
【符合の説明】
【００１２】１  ベルト
２  ビニールクッション
３  柔いゴム
４  クッション
５  突起
【図１】
0003231462.tif 000003
【図２】
0003231462.tif 000004
【図３】
0003231462.tif 000005
【図４】
0003231462.tif 000006
【図５】
0003231462.tif 000007
(57)【要約】【課題】  本考案は直列三気筒エンジンのピストンを左右対称に動かし，かつ，左右対称に点火させることにより，すりこぎ運動を防止する。【解決手段】  クランクピン６と８を等しい角度で取り付け，クランクピン７を，クランクピン６と８に対して１８０°もしくは，２７０°で取り付けることで，ピストンを左右対称に動かし，また，シリンダ１と３の排気量の合計が中央のシリンダ２と同じになるようにすることで不快な振動を根本的に解決している。【選択図】図５
0003231478.tif 000002
【実用新案登録請求の範囲】
【請求項１】
直列三気筒エンジンの左右両端のシリンダの排気量をそれぞれ，エンジン全体の排気量の４分の１にし、中央の気筒の排気量をエンジン全体の排気量の２分の１にしたことを特徴としたエンジン。
【請求項２】
直列三気筒エンジンで左右両端の気筒を同時に点火させることを特徴としたエンジン。
【考案の詳細な説明】
【技術分野】
【０００１】  本考案は３気筒エンジンを３気筒あるうち左右両端の２気筒を同時に点火させる，直列３気筒エンジンに関するものである。
【背景技術】
【０００２】  従来のほとんどの３気筒エンジンはクランクピンを１２０°間隔に取り付けており，対称の位置で同方向に動くピストンがないため、両端のシリンダ内を上下する往復運動系がすりこぎ運動のように揺らし，不快な振動が起こるようになっていた。【０００３】  そのため、アイドリングストップや，エンジンマウントなどで目立たないようにしていた。
【考案の概要】
【考案が解決しようとする課題】
【０００４】  アイドリングストップなどを用いて不快な振動を目立たなくしていたが，アイドリングストップも他の部品への負担を増やすことになるので，これらの欠点を招く直列三気筒エンジンの根本的な問題を解決しようというものである。
【課題を解決するための手段】
【０００５】  クランクピンを１８０°間隔，または，左右両端のクランクピンを同じ角に取り付け，中央のクランクピンだけ２７０°に取り付けることで，ピストンを左右対称に動かし、すりこぎ運動による不快な振動を根本的になくすことで解決している。
【考案の効果】
【０００６】  上述のようにすりこぎ運動が無くなる。【０００７】  また，ピストンの動きが直列四気筒エンジンの動きに似ているため，振動に関して問題になるのは，  二次振動のみになると考えられる。
【図面の簡単な説明】
【０００８】
【図１】シリンダブロックの上面図
【図２】シリンダブロックの側面図
【図３】クランクシャフトの上面図
【図４】クランクシャフトの側面図
【図５】エンジン全体図
【考案を実施するための形態】
【０００９】  図面を参照して，本考案の仕組みについて説明する。
【００１０】  まず，１と３のシリンダ内のピストンが下がり，その間に，１と３の吸気弁を１０のカムシャフトにより開き空気を吸入する。その間に，２のシリンダは、排気弁を開き排気する。
【００１１】  その後、１と３のシリンダ内のピストンが上がり，空気を圧縮，２のシリンダでは吸気弁をひらき空気を吸入し始める。
【００１２】  １と３のシリンダ内で点火プラグにより点火，空気を膨張させ，その間に２のシリンダでは空気を圧縮する。
【００１３】  １と３のシリンダでは排気弁を開き排気し，その間に中央のシリンダ内で点火，空気を膨張させる。
【００１４】〔０００１０〕〜〔００１１〕の繰り返し。
【実施例】
【００１５】  ４はシリンダブロックで，アルミ合金などの適宜素材を使用する。５はクランクシャフトで出力軸となり，また，補機などもこれに繋がっている。【００１６】  クランク軸を備えるレシプロエンジンで，かつ，３気筒を備え，４行程サイクルエンジンであれば応用可能と考えられる。【００１７】  クランクピンの取り付け角は６と８を等しくすれば問題無い。
【符号の説明】
【００１８】１  左端のシリンダ
２  中央のシリンダ
３  右端のシリンダ
４  シリンダブロック
５  クランクシャフト
６  左端のクランクピン
７  中央のクランクピン
８  右端のクランクピン
９  タイミングチェーン
１０  カムシャフト
１１  排気弁
１２  吸気弁
【図１】
0003231478.tif 000003
【図２】
0003231478.tif 000004
【図３】
0003231478.tif 000005
【図４】
0003231478.tif 000006
【図５】
0003231478.tif 000007
【手続補正書】
【提出日】令和2年9月29日(2020.9.29)
【手続補正１】
【補正対象書類名】実用新案登録請求の範囲
【補正対象項目名】全文
【補正方法】変更
【補正の内容】
【実用新案登録請求の範囲】
【請求項１】
直列三気筒エンジンの左右両端のシリンダの排気量をそれぞれ，エンジン全体の排気量を４分の１にし，中央の気筒の排気量をエンジン全体の排気量の２分の１にしたことを特徴としたエンジン。
【請求項２】
中央のピストン及びコンロッドの重量が，他のそれより，２倍になっている請求項１記載のエンジン。
【請求項３】
直列三気筒エンジンでカムシャフトの，左右両端のカムが等しい角度で取り付けられ，左右両端の気筒を同時に点火することを特徴とした請求項１記載のエンジン。
【手続補正書】
【提出日】令和2年12月26日(2020.12.26)
【手続補正１】
【補正対象書類名】実用新案登録請求の範囲
【補正対象項目名】請求項３
【補正方法】変更
【補正の内容】
【請求項３】
直列三気筒エンジンでカムシャフトの，左右両端のカムが吸気弁側と排気弁側でそれぞれ等しい角度に取り付けられた事を特徴とした請求項１記載のエンジン。
(57)【要約】      （修正有） 【課題】着用するだけで顔の輪郭を顕著に細く見せることのできるマスクを提供する。【解決手段】マスク１は、マスク本体２を有している。マスク本体２の下部両側部に、左右方向に延在する帯状の引き上げ帯６の各端部が接続され、引き上げ帯６は伸縮自在に形成され、マスク着用時に緊張状態をとるような長さに形成されている。【選択図】図１
0003231473.tif 000002
【実用新案登録請求の範囲】
【請求項１】
マスク本体の下部両側部に、左右方向に延在する帯状の引き上げ帯の各端部を接続し、この引き上げ帯は伸縮自在とされ、マスク着用時に緊張状態をとるような長さに形成されていることを特徴とするマスク。
【請求項２】
前記引き上げ帯は、前記マスク本体の裏面に縫着されていることを特徴とする請求項１に記載のマスク。
【請求項３】
前記引き上げ帯は、２枚のポリウレタン生地を重ね合わせてベアヤーンにより連結した材料により形成されていることを特徴とする請求項２に記載のマスク。
【考案の詳細な説明】
【技術分野】
【０００１】
本考案は、マスク本体の両側にそれぞれ両端が接続されているゴム紐をそれぞれ耳に引っ掛けてマスク本体により鼻と口を被覆するマスクに係り、特に、顔の輪郭を細く見せることのできるマスクに関する。
【背景技術】
【０００２】
昨年からの新型コロナ禍においては、マスクの着用を義務づけられる場所が増えており、このためマスクは必需品となっている。このようなマスクは、機能的には病菌や埃などを防ぐために鼻と口を被覆するようになっている。
【０００３】
ところが、マスク本体の厚さが厚いと、マスク本体に被覆されている顔の部位が膨出してように見え、着用者によっては、マスク本体の厚いマスクの着用を嫌がる人も出てきている。
【０００４】
このような点に鑑み、台形両側の斜辺設計により、滑らかな傾斜線で顔両側の輪郭を修飾することで顔立ちがよりきれいに小さく見えるようになる小顔マスクが知られている（例えば、特許文献１参照）。
【０００５】
また、マスクの縁と着用者の顔との適合性を向上させ、顔痩せ効果を果たす顔痩せマスクも知られている（例えば、特許文献２参照）。
【先行技術文献】
【特許文献】
【０００６】
【特許文献１】実用新案登録第３２２６５２１号公報
【特許文献２】実用新案登録第３２２６７８８号公報
【考案の概要】
【考案が解決しようとする課題】
【０００７】
しかしながら、前述した特許文献１、２のマスクにおいては、マスク本体の両側縁の形状を特殊にして顔の輪郭を細く見せようとするだけであるため、顔の輪郭を細く見せるにしても、その効果はそれほどではなかった。
【０００８】
本考案は、前述した従来のものにおける問題点を克服し、着用するだけで顔の輪郭を顕著に細く見せることのできるマスクを提供することを目的としている。
【課題を解決するための手段】
【０００９】
前述した課題を解決するために、本考案の請求項１に記載のマスクは、マスク本体の下部両側部に、左右方向に延在する帯状の引き上げ帯の各端部を接続し、この引き上げ帯は伸縮自在とされ、マスク着用時に緊張状態をとるような長さに形成されていることを特徴としている。そして、このような構成を有することにより、引き上げ帯が着用者の両頬を斜め後方に引き上げるように作用するので、顔の輪郭を顕著に細く見せることができる。
【００１０】
本考案の請求項２に記載のマスクは、前記引き上げ帯が、前記マスク本体の裏面に縫着されていることを特徴としている。そして、このような構成を有することにより、引き上げ帯は、マスクの表面に露出しないので、普通のマスクを着用しているようにしか見えない。
【００１１】
本考案の請求項３に記載のマスクは、前記引き上げ帯が、２枚のポリウレタン生地を重ね合わせてベアヤーンにより連結した材料により形成されていることを特徴としている。そして、このような構成を有することにより、引き上げ帯が良好な伸縮性を有することができる。
【考案の効果】
【００１２】
本考案のマスクによれば、着用中常に引き上げ帯が着用者の両頬を斜め後方に引き上げるように作用するので、顔の輪郭を顕著に細く見せることができるという効果を奏することができる。
【図面の簡単な説明】
【００１３】
【図１】本考案に係るマスクの実施形態を示す正面図
【図２】図１のマスクの左半部を示す正面図
【図３】図１のマスクの着用状態を示す正面図
【考案を実施するための形態】
【００１４】
図１および図２において本実施形態のマスク１は、マスク本体２を有している。このマスク本体２は、２枚の生地をラミネート加工したものである。一例として、表地は、ナイロン・ポリエステル系織布とされており、裏地は、ポリエステル系繊維により形成されている。
【００１５】
また、本実施形態において、マスク１は、図２に示すように、縦割りした右半部（図示せず）と左半部３を超音波融着加工により接着して１つのマスク本体２としたものである。
【００１６】
前記マスク本体２は、外周縁を凸状の曲線と凹状の曲線の連続により形成されている。
【００１７】
前記マスク本体２の上縁における左右中央部には、着用時に鼻梁を収納するのに好適な凸部３が形成されている。また、前記マスク本体２の両側縁には、長さ調整管９がそれぞれ装着された耳ゴム８の各先端を縫製により編み組み込むための凸部４Ａ，４Ｂが上下に間隔を隔てて形成されている。さらに、前記マスク本体２の下縁の全域には、着用時に顎部を収納するのに好適な緩やかな曲率の凸部５が形成されている。
【００１８】
前記マスク本体２の裏面下部には、左右方向に延在する帯状の引き上げ帯６が配設されており、この引き上げ帯６の各端部は、マスク本体２の下部両側部に縫着されている。
【００１９】
前記引き上げ帯６は、２枚のポリウレタン生地を重ね合わせてベアヤーンにより連結した材料により伸縮自在に形成されている。そして、この引き上げ帯６は、マスク着用時に緊張状態をとるような長さに形成されている。
【００２０】
つぎに、前述した実施形態の作用について説明する。
【００２１】
本実施形態のマスク１は、前述したようにマスク本体２の裏面下部に左右方向に延在する引き上げ帯６が設けられており、この引き上げ帯６は、マスク着用時に緊張状態をとるような長さとされているので、マスク１を着用し、各耳ゴム８を耳に引っ掛けると、引き上げ帯６は緊張状態を増し、着用者の顎から頬にかけて斜め後方へ引き上げられる力が作用することになる。この結果、着用者の頬の肉が斜め後方に引き上げられることになり、顔の輪郭を顕著に細く見せることができる。
【００２２】
なお、本考案は、前述した本実施形態に限定されるものではなく、種々の変更が可能である。
【００２３】
例えば、引き上げ帯６の生地は、ナイロンその他の伸縮性のある繊維であれば使用可能である。また、引き上げ帯６は必要に応じてマスク本体２の表面に取り付けることも可能である。
【符号の説明】
【００２４】
１  マスク
２  マスク本体
３  上縁の凸部
４Ａ，４Ｂ  側縁の凸部  
５  下縁の凸部
６  引き上げ帯
８  耳ゴム
９  長さ調整管
【図１】
0003231473.tif 000003
【図２】
0003231473.tif 000004
【図３】
0003231473.tif 000005
(57)【要約】【課題】ウイルスの飛沫感染を効果的に防止することのできるマウスシールドを提供する。【解決手段】使用者の口の正面を覆う透明なシート状部材２を備えたマウスシールド１において、シート状部材２の表面に光触媒をコーティングした。使用者の吐く空気と吸う空気がシート状部材２の表面に当たると、空気中に含まれるウイルスが光触媒による酸化反応により分解される。したがって、ウイルスの飛沫感染を効果的に防止することができる。【選択図】図１
0003231453.tif 000002
【実用新案登録請求の範囲】
【請求項１】
使用者の口の正面を覆う透明なシート状部材を備えたマウスシールドにおいて、前記シート状部材の表面に光触媒がコーティングされていることを特徴とするマウスシールド。
【請求項２】
前記光触媒は、酸化チタンの微粒子であることを特徴とする請求項１記載のマウスシールド。
【請求項３】
前記光触媒は、分子間力によって前記シート状部材の表面に結着していることを特徴とする請求項２記載のマウスシールド。
【考案の詳細な説明】
【技術分野】
【０００１】
本考案は、ウイルスの飛沫感染を防止するためのマウスシールドに関する。
【背景技術】
【０００２】
ウイルスの飛沫感染を防止するために、マウスシールドが用いられている（例えば、特許文献１を参照）。このマウスシールドは、シート状部材に顎当接部が形成されるとともに、一対の耳掛け紐が取り付けられており、使用者の顎に顎当接部を当接させ、使用者の耳に耳掛け紐を掛けることにより、使用者の口の正面をシート状部材で覆うように構成されている。また、使用者の口の正面を覆うシート状部材を透明とすることにより、使用者の表情を容易に認識することができるようになっている。
【先行技術文献】
【特許文献】
【０００３】
【特許文献１】特開２０２０−１８０４２５号公報
【考案の概要】
【考案が解決しようとする課題】
【０００４】
しかし、このような従来のマウスシールドは、ウイルスの飛沫感染をある程度において防止することができるものの、使用者の顔面との間に形成される開口部が大きいためにその効果が限定されたものとなっていた。
【０００５】
そこで、本考案は、ウイルスの飛沫感染を効果的に防止することのできるマウスシールドを提供することを目的とする。
【課題を解決するための手段】
【０００６】
本考案のマウスシールドは、使用者の口の正面を覆う透明なシート状部材を備えたマウスシールドにおいて、前記シート状部材の表面に光触媒がコーティングされていることを特徴とする。
【０００７】
また、前記光触媒は、酸化チタンの微粒子であることを特徴とする。
【０００８】
さらに、前記光触媒は、分子間力によって前記シート状部材の表面に結着していることを特徴とする。
【考案の効果】
【０００９】
本考案のマウスシールドによれば、使用者の口の正面を覆う透明なシート状部材を備えたマウスシールドにおいて、前記シート状部材の表面に光触媒がコーティングされているため、使用者の吐く空気と吸う空気がシート状部材の表面に当たると、空気中に含まれるウイルスが光触媒による酸化反応により分解される。したがって、ウイルスの飛沫感染を効果的に防止することができる。
【００１０】
また、前記光触媒は、酸化チタンの微粒子であるため、シート状部材の透明性を保つことができる。
【００１１】
さらに、前記光触媒は、分子間力によって前記シート状部材の表面に結着しているため、接着剤やバインダーを用いることなく、シート状部材に光触媒をコーティングすることができる。
【図面の簡単な説明】
【００１２】
【図１】本考案のマウスシールドの一実施形態を示す斜視図である。
【図２】同上、シート状部材の拡大断面模式図である。
【図３】同上、使用者が装着した状態を示す模式図である。
【考案を実施するための形態】
【００１３】
本考案のマウスシールの一実施形態について、添付した図面を参照しながら説明する。
【００１４】
本実施例のマウスシールドを示す図１を参照すると、１はマウスシールドであり、マウスシールド１は、シート状部材２と、シート状部材２を保持する保持部材３と、保持部材３の両端部に取り付けられた一対の耳掛け紐４とから構成されている。
【００１５】
シート状部材２は、可撓性を有する透明な樹脂製の板からなり、シート状部材２の下端部は直線状、上端部は略楕円形状に形成されている。そして、マウスシールド１が使用者に装着されたときに、シート状部材２が使用者の口の正面及びその周辺部を覆うようになっている。また、シート状部材２の表面近傍の断面を拡大して模式的に示した図２を参照すると、シート状部材２の表面には、光触媒として作用する酸化チタンのナノサイズの微粒子２ａがコーティングされている。この微粒子２ａは、接着剤やバインダーを用いることなく、噴霧によりシート状部材２の表面にコーティングされたものであり、分子間力によりシート状部材２の表面に結着している。なお、シート状部材２の表面にコーティングされている光触媒は、酸化チタンの微粒子であるため、シート状部材２の透明性が保たれている。
【００１６】
保持部材３は、透明な樹脂製の成形体からなり、略水平方向に略円弧状に湾曲している。そして、保持部材３の上部にシート状部材２の下端部が保持されている。また、保持部材３の略中央には、顎当接部３ａが保持部材３と一体に形成されており、マウスシールド１が使用者に装着されたときに、顎当接部３ａが使用者の顎に当接し、シート状部材２が使用者の顔に触れないようになっている。
【００１７】
つぎに作用について説明する。図３に示すように、顎当接部３ａを使用者の顎に当接させ、耳掛け紐４を使用者の耳に掛けることにより、マウスシールド１が使用者に装着される。このとき、シート状部材２は、使用者の顔から所定の間隔をあけて、使用者の口の正面及びその周辺部を覆っている。使用者が呼吸をすると、使用者が吐く空気と吸う空気がシート状部材２の表面に当たる。このとき、空気中に含まれるウイルスが、シート状部材２の表面にコーティングされている光触媒による酸化反応により分解される。
【００１８】
以上のように、本実施例のマウスシールドは、使用者の口の正面を覆う透明なシート状部材２を備えたマウスシールド１において、前記シート状部材２の表面に光触媒がコーティングされているため、使用者の吐く空気と吸う空気がシート状部材２の表面に当たると、空気中に含まれるウイルスが光触媒による酸化反応により分解される。したがって、ウイルスの飛沫感染を効果的に防止することができる。
【００１９】
また、前記光触媒は、酸化チタンの微粒子であるため、シート状部材２の透明性を保つことができる。
【００２０】
さらに、前記光触媒は、分子間力によって前記シート状部材２の表面に結着しているため、接着剤やバインダーを用いることなく、シート状部材２に光触媒をコーティングすることができる。
【００２１】
以上、本考案の一実施形態について説明したが、本考案は本実施形態に限定されるものではなく、種々の変更実施が可能である。
【符号の説明】
【００２２】
１  マウスシールド
２  シート状部材
【図１】
0003231453.tif 000003
【図２】
0003231453.tif 000004
【図３】
0003231453.tif 000005
(57)【要約】      （修正有）【課題】後ろ背中側をフラットにすることにより作業効率を上げ、首のフィット感を増して毛髪が入り込まないようにする前合わせカットクロスを提供する。【解決手段】合成繊維を素材として後身頃と、被着者の前部で重なり合う左右一対の前身頃１、２と両袖からなり、重なりあう前身頃を前身頃の首元と胸元に取付けた止着手段によって係止させる構造の前合わせカットクロスであって、止着手段３〜６は、面ファスナーやボタンなど、どんな仕様でも機能性を損なわない。【選択図】図１
0003231457.tif 000002
【実用新案登録請求の範囲】
【請求項１】
前合わせカットクロスは、前合わせで装着して右肩のポイントで留める事により、後方首元から背中にかけてフラットになり、作業効率が上がる。上記の特徴を持つ前合わせカットクロスである。
【請求項２】
前記本考案は、右肩のポイントで留めることにより、首元のフィット感が増して、散髪後の毛髪が内側へ入りにくくなる特徴を持った請求項１記載の前合わせカットクロスである。
【請求項３】
前記本考案は、留めるポイントの仕様は、面ファスナーやボタンなど何でも構わないことは言うまでもない。そんな特徴をもつ請求項１記載の前合わせカットクロスである。
【請求項４】
前記本考案は、留めるポイントをいくつ作っても構わないことは言うまでもない。そんな特徴をもつ請求項１記載の前合わせカットクロスである。
【請求項５】
前記本考案は、前合わせを左右反転させても構わない。そんな特徴をもつ請求項１記載の前合わせカットクロスである。
【考案の詳細な説明】
【技術分野】
【０００１】  本考案はヘアカットをする時に、毛髪や薬剤等が付かないように装着するカットクロスに関するものである。
【背景技術】
【０００２】  従来のカットクロスは後ろあわせで、後ろ襟と背中を留める形状である（特許文献１参照）ところが、後ろ襟元や背中側の留めるポイントが梳かす時に引っかかり作業効率が下がる問題と、首元から細かい毛髪が内部に入り込んでしまう問題がある。
【先行技術文献】
【特許文献】
【０００３】
【特許文献１】登録実用新案第３１０７９５１号公報
【考案の概要】
【考案が解決しようとする課題】
【０００４】  従来の形状では、後ろの合わせの部分と首元の部分が、毛髪を梳かす時に引かかってしまい作業に支障があった。かつ首元から散髪した毛髪が入ってしまう問題もある。上記の案は以上の欠点を無くすためにされたものである。
【課題を解決するための手段】
【０００５】  前合わせカットクロスは、前合わせに装着して、合わせのポイントを右肩前方にする。そうすることで、問題点を解決可能な事を見出し、本考案を完成させた。
【考案の効果】
【０００６】  本考案の前合わせカットクロスは、後ろ首元から背中にかけてフラットになるため、作業効率が上がる。前合わせのポイントを右肩にすることにより首元のフィット感が増し、散髪した毛髪が首元から入り込む問題も解消される。
【図面の簡単な説明】
【０００７】
【図１】前合わせカットクロス正面図
【考案を実施するための形態】
【０００８】  以下、本考案の実施例について図面を参照しながら説明する。
【実施例】
【０００９】  本考案は、着用者が合わせを前にして、前身頃Ｂを内側、前見頃Ａを外側にして着用し、前見頃Ａ面ファスナーａと前見頃Ｂ面ファスナーｂを貼り合わせて、右肩部を固定して、最後に前見頃Ａ面ファスナーｃと前見頃Ｂ面ファスナーｄを貼り合わせて固定する。
【産業上の利用可能性】
【０００１０】  本考案は、カット時の後ろ合わせの部分と首元が、梳かす時に引っかかり作業効率が落ちる問題と、首元の隙間からカットした毛髪が内部に侵入する問題を防ぐことができ、理美容業界において極めて有益である。
【符号の説明】
【０００１１】１前見頃Ａ
２前見頃Ｂ
３前見頃Ａ面ファスナーａ
４前見頃Ｂ面ファスナーｂ
５前見頃Ａ面ファスナーｃ
６前見頃Ｂ面ファスナーｄ
７前合わせカットクロス本体
【図１】
0003231457.tif 000003
【手続補正書】
【提出日】令和2年5月8日(2020.5.8)
【手続補正１】
【補正対象書類名】実用新案登録請求の範囲
【補正対象項目名】全文
【補正方法】変更
【補正の内容】
【実用新案登録請求の範囲】
【請求項１】
本校案は、前合わせで装着して右肩のポイントで留める事により、後方首元から背中にかけてフラットになり、作業効率が上がる特徴を持つ前合わせカットクロス。
【請求項２】
前記本考案は、右肩のポイントで留めることにより、首元のフィット感が増して、散髪後の毛髪が内側へ入りにくくなる特徴を持った請求項１記載の前合わせカットクロス。
【請求項３】
前記本考案は、右肩を留めるポイントは、面ファスナーやボタンなどどんな仕様でも、機能性は損なわない特徴をもつ請求項１記載の前合わせカットクロス。
【請求項４】
前記本考案は、右肩の留めるポイント以外にも、留めるポイントを増やすことで、よりフィット感が増すことができる特徴をもつ請求項１記載の前合わせカットクロス。
【請求項５】
前記本考案は、前合わせを左右反転させて右側を上に合わせて、左肩で留めても機能性は損なわない特徴をもつ請求項１記載の前合わせカットクロス。
【手続補正書】
【提出日】令和2年9月2日(2020.9.2)
【手続補正１】
【補正対象書類名】実用新案登録請求の範囲
【補正対象項目名】全文
【補正方法】変更
【補正の内容】
【実用新案登録請求の範囲】
【請求項１】
合成繊維を素材とし、、後ろ身頃と、被着者の前部で重なり合う左右一対の前見頃と両袖からなり、前合わせの右肩のポイントと右胸のポイントで留める事により、後方首元から背中にかけてフラットになり、作業効率が上がる構造の前合わせカットクロス。
【請求項２】
右肩のポイントで留めることにより、首元のフィット感が増して、散髪後の毛髪が内側へ入りにくくなる構造の請求項１記載の前合わせカットクロス。
【請求項３】
右肩を留めるポイントは、面ファスナーやボタンなどどんな仕様でも、機能性は損なわない構造の請求項１記載の前合わせカットクロス。
【請求項４】
右肩の留めるポイント以外にも、留めるポイントを増やすことで、よりフィット感が増すことができる構造の請求項１記載の前合わせカットクロス。
【請求項５】
前合わせを左右反転させて右側を上に合わせて、左肩、左胸で留めても機能性は損なわない構造の請求項１記載の前合わせカットクロス。
【手続補正書】
【提出日】令和2年12月15日(2020.12.15)
【手続補正１】
【補正対象書類名】実用新案登録請求の範囲
【補正対象項目名】全文
【補正方法】変更
【補正の内容】
【実用新案登録請求の範囲】
【請求項１】
合成繊維を素材として後身頃と、被着者の前部で重なり合う左右一対の前見頃と両袖からなり、前記重なりあう前身頃を前身頃の首元と胸元に取付けた止着手段によって係止させる構造を特徴とする前合わせカットクロス。
【請求項２】
止着手段は、面ファスナーやボタンなど、どんな仕様でも機能性を損なわない構造の請求項１記載の前合わせカットクロス。
(57)【要約】      （修正有）【課題】マスク上部からの埃の侵入を防ぎ、飛沫を防止し、空気の通りをよくすることで呼吸が楽になり涼感を得られる形状の立体布マスクを提供する。【解決手段】立体布マスクは、マスク本体と掛け紐２を有し、マスク本体は表布、裏布を縫い合わせ、左右に掛け紐２を通すスペースを作り掛け紐２を通している。マスク本体の上部にカーブを付けて頬〜鼻に隙間ができないようにフィットする立体的な縫製をするとともに、マスク本体の下部はカーブを付けずに直線的に縫製し、下顎の皮膚に触れないよう隙間を作る。マスク装着時には鼻根部の形状に合わせて接触し、下顎部はマスクと皮膚の接触を避け、マスク上部からの埃の侵入を防ぎ飛沫を防止できる。下顎部のマスクとの接触を避けることで空気の通りを良好にし呼吸が楽になり涼感を得られる形状であり長時間の装着が可能な形状である。【選択図】図２
0003231435.tif 000002
【実用新案登録請求の範囲】
【請求項１】
布マスクは本体の上部にカーブを付けて頬〜鼻に隙間ができないようにフィットする立体的な縫製をするとともに布マスク本体の下部は下顎の皮膚に触れないよう隙間を作る構造の立体布マスク。
【考案の詳細な説明】
【技術分野】
【０００１】本考案は、上部からの埃の侵入を防ぎ、飛沫を防止し、涼しく感じ、また呼吸が楽になるような形状の布マスク本体に左右一対の掛け紐が配設された立体布マスクに関するものである
【背景技術】）【０００２】２０２０年は新型コロナウイルス感染症のパンデミックによりマスクの装着が勧められているが通常のマスクでは長時間の発言時や歌唱時・運動時に呼吸が苦しくなったり、夏場は体温の上昇により熱中症の誘発になったり、持続的な装着が困難になっている。そのために飛沫の防止をしつつ呼吸も楽になり熱中症も防げるようなマスクが注目されている。【０００３】この立体布マスクは布を裁断し立体的になるよう縫製したマスク本体とマスク本体の横方向の両端部に連結された左右一対の掛け紐を有したものである。
マスク装着時には、両耳に掛け紐を掛け、顔面の鼻根から下顎〜頸部までの範囲を立体的に覆い下顎部ではマスクと皮膚が接触しない構造である。
【考案の概要】
【考案が解決しようとする課題】
【０００５】従来のマスクの鼻根から下顎まで上部・下部とも皮膚に密着する形状はマスク内が密閉状態になり環境によっては呼吸苦、会話困難、体温上昇感等の苦痛を感じ長時間の装着が困難な状態になっていた。
【課題を解決するための手段】
【０００６】本考案ではマスク本体の上部にカーブを付けて頬〜鼻に隙間ができずにフィットするように縫製するとともにマスク本体の下部は下顎の皮膚に布が触れないように隙間を作る構造でマスク上部からの埃の侵入を防ぎ、飛沫を防止し、空気の通りをよくすることで呼吸が楽になり涼感を得られるような形状とすることで問題点を解決している、
【考案の効果】
【０００７】上記のように、本考案の立体布マスクはマスク上部からの埃の侵入を防ぎ、飛沫を防止し、空気の通りをよくすることで呼吸が楽になり涼感を得られるとともに長時間のマスク装着を可能にできる。
【図面の簡単な説明】
【０００８】
【図１】本発明の立体布マスクの装着状態の正面図と布マスク本体の正面図である。
【図２】本発明の立体布マスクの装着状態の側面図とマスク本体の側面図である。
【図３】本発明の立体布マスク本体の分解図である。
【考案を実施するための形態】
【０００９】マスク本体の上部にカーブを付けて頬〜鼻に隙間ができずにフィットするように縫製するとともにマスク本体の下部は下顎の皮膚に布が触れないように直線的に縫製し隙間を作る構造とする。表布と裏布を縫い合わせることで縫い代や折り目が皮膚に直接触れず不快感が少なくなる。この４枚の布を縫い合わせることで立体的な形状になりマスク上部からの埃の侵入を防ぎ、飛沫を防止しし、空気の通りがよくなることで呼吸が楽になり涼感を得られ長時間の装着が可能となる。
【実施例】
【０００１０】以下、本発明の実施例を、図面を参照して具体的に説明する。
図１において、１は布で取った左右の型を中心で縫い合わせ表とし、これを同型で縫い合わせた裏と上下を縫い合わせ、左右を折り、掛け紐を通してマスクの形状とする。
【符号の説明】
【０００１０】  １  マスク本体
２  掛け紐
３  マスク表面右
４  マスク表面左
５  マスク裏面右
６  マスク裏面左
【図１】
0003231435.tif 000003
【図２】
0003231435.tif 000004
【図３】
0003231435.tif 000005
【手続補正書】
【提出日】令和2年12月25日(2020.12.25)
【手続補正１】
【補正対象書類名】実用新案登録請求の範囲
【補正対象項目名】全文
【補正方法】変更
【補正の内容】
【実用新案登録請求の範囲】
【請求項１】
布マスク本体の上部にカーブを付けて頬〜鼻に隙間ができないようにフィットする立体的な縫製をするとともに布マスク本体の下部はカーブを付けずに直線的に縫製し下顎の皮膚に触れないよう隙間を作る構造の表布と同形状の裏布を縫製した立体布マスク。